(57)【要約】【課題】向上した精度および運用性を有する、ガス燃料のための管理輸送システムおよび管理輸送方法を提供する。【解決手段】ガス供給源からガスタービンにガス燃料を輸送するように構成された管理輸送システムは、それぞれが、管理輸送システムを通って流れるガス燃料の流量の一部における測定値を得るように構成され、互いと並列に動作する複数の小型流量計を含む。さらに、この管理輸送システムは、複数の小型流量計から流れるガス燃料の流量における測定値を得るように構成され、複数の小型流量計と直列である大型流量計を含む。さらに、この管理輸送システムは、フローコンピュータに計測メトリクスを提供するように構成され、小型流量計のそれぞれと、大型流量計とに接続された通信回路を含む。【選択図】図１
2013142693.tif 000002
【特許請求の範囲】
【請求項１】
それぞれが、管理輸送システムを通って流れるガス燃料の流量の一部における第１の測定値を得るように構成され、互いと並列に配置された複数の小型流量計と、
前記管理輸送システムを通って流れるガス燃料の流量における第２の測定値を得るように構成され、前記複数の小型流量計と直列である大型流量計と
を備える、ガス供給源からガスタービンにガス燃料を輸送するように構成された管理輸送システムであって、それぞれの小型流量計が、前記大型流量計より小さいフロー容量を有する、管理輸送システムを備えるシステム。
【請求項２】
前記複数の小型流量計および前記大型流量計が、コリオリ流量計、超音波流量計、タービンメータ、ベンチュリ流量計、オリフィス流量計、またはこれらの組み合わせを備える、請求項１記載のシステム。
【請求項３】
前記小型流量計が、互いに対して異なるフロー容量を有する、請求項１記載のシステム。
【請求項４】
前記小型流量計のそれぞれが第１の最大流量を有し、前記大型流量計が第２の最大流量を有し、前記小型流量計における前記第１の最大流量の合計が、前記大型流量計における前記第２の最大流量に等しい、請求項１記載のシステム。
【請求項５】
前記小型流量計のそれぞれのための第１のバイパス通路と、前記大型流量計のための第２のバイパス通路とを備え、それぞれの第１のバイパス通路が、それぞれの前記小型流量計を通って流れることなくガス燃料が流れることを可能とするように構成されており、前記第２のバイパス通路が、前記大型流量計を通って流れることなくガス燃料が流れることを可能とするにように構成されている、請求項１記載のシステム。
【請求項６】
前記複数の小型流量計における前記第１の測定値を合計することによって合計されたフロー測定値を得て、
前記合計されたフロー測定値と、前記大型流量計における前記第２の測定値とに少なくとも部分的に基づいて、前記管理輸送システムを通って輸送されたガス燃料の量を表す管理輸送の計算値を求める
ように構成されたフローコンピュータを備える、請求項１記載のシステム。
【請求項７】
それぞれが、ガス燃料の圧力測定値を提供するように構成され、前記小型流量計のそれぞれの近くと、前記大型流量計の近くとに配置された、少なくとも１つの圧力トランスミッタと、
それぞれが、ガス燃料の温度測定値を提供するように構成され、前記小型流量計のそれぞれの近くと、前記大型流量計の近くとに配置された、少なくとも１つの温度トランスミッタと
を備え、
前記フローコンピュータが、流量の一部における前記第１の測定値および流量の前記第２の測定値と、前記圧力測定値と、前記温度測定値とに少なくとも部分的に基づいて前記管理輸送の計算値を求めるように構成されている、請求項６記載のシステム。
【請求項８】
前記小型流量計を通って流れるガス燃料のすべてにおける第１の圧力測定値を提供するように構成され、前記小型流量計のそれぞれの下流の合流点に配置された第１の圧力トランスミッタと、
前記大型流量計を通って流れるガス燃料における第２の圧力測定値を提供するように構成され、前記大型流量計の近くに配置された第２の圧力トランスミッタと、
前記小型流量計を通って流れるガス燃料のすべてにおける第１の温度測定値を提供するように構成され、前記小型流量計のそれぞれの下流の合流点に配置された第１の温度トランスミッタと、
前記大型流量計を通って流れるガス燃料における第２の温度測定値を提供するように構成され、前記大型流量計の近くに配置された第２の温度トランスミッタと
を備え、
前記フローコンピュータが、流量の一部における前記第１の測定値および流量の前記第２の測定値と、前記第１および前記第２の圧力測定値と、前記第１および第２の温度測定値とに少なくとも部分的に基づいて前記管理輸送の計算値を求めるように構成されている、請求項６記載のシステム。
【請求項９】
前記小型流量計のフロー容量が、前記大型流量計のフロー容量の約５０％以下である、請求項１記載のシステム。
【請求項１０】
前記フローコンピュータが、前記合計されたフロー測定値と、前記大型流量計の測定値とに少なくとも部分的に基づいて請求ポイントを決定するように構成されている、請求項６記載のシステム。
【請求項１１】
管理輸送スキッドにおける複数の小型流量計から複数の第１の測定値を得て、
前記管理輸送スキッドにおける大型流量計から第２の測定値を得て、
前記複数の第１の測定値と、前記第２の測定値とに少なくとも部分的に基づいて、前記管理輸送スキッドを通って輸送されるガス燃料の量を表す管理輸送の計算値を求める
ように構成された管理輸送システムであって、それぞれの小型流量計が、前記大型流量計より小さいフロー容量を有する、管理輸送システムを備えるシステム。
【請求項１２】
フローコンピュータが、前記複数の第１の測定値を合計して第１の測定値合計を得るように構成されている、請求項１１記載のシステム。
【請求項１３】
前記フローコンピュータが、前記第１の測定値合計を前記第２の測定値と比較して、前記第１の測定値合計と前記第２の測定値との差を求めるように構成されている、請求項１２記載のシステム。
【請求項１４】
前記フローコンピュータが、差が最大差しきい値を上まわる場合に、可聴アラーム、視覚アラーム、または両方を作動させるように構成されている、請求項１３記載のシステム。
【請求項１５】
前記フローコンピュータが、
前記管理輸送スキッドを通って流れるガス燃料の輸送量を、前記第１の測定値合計を用いて計算し、
前記輸送量を前記第２の測定値と比較することによってガス燃料の量を検証する
ように構成されている、請求項１２記載のシステム。
【請求項１６】
前記フローコンピュータが、前記管理輸送の計算値、前記第１の測定値合計、および前記第２の測定値に少なくとも基づいて、前記管理輸送スキッドを通って輸送されるガス燃料に対する請求金額を計算するように構成されている、請求項１２記載のシステム。
【請求項１７】
並列に動作している複数の小型流量計における１組の流量をコンピュータで受信するステップと、
前記複数の小型流量計と直列である大型流量計における第２の流量をコンピュータで受信するステップと、
コンピュータを介して前記組の流量を合計して、合計された組の流量を得るステップと、
前記合計された流量を前記第２の流量と比較して、前記組の流量と前記第２の流量との精度を判定するステップと
を含む、方法。
【請求項１８】
前記精度が最少精度しきい値を下まわる場合にアラームを作動させるステップを含む、請求項１７記載の方法。
【請求項１９】
前記複数の小型流量計を通って流れるガス燃料における第１の圧力測定値を受信するステップと、
前記複数の小型流量計を通って流れるガス燃料における第１の温度測定値を受信するステップと、
前記大型流量計を通って流れるガス燃料における第２の圧力測定値を受信するステップと、
前記大型流量計を通って流れるガス燃料における第２の温度測定値を受信するステップと、
前記組の流量と、前記第２の流量と、前記第１および第２の圧力測定値と、前記第１および第２の温度測定値とに少なくとも部分的に基づいて管理輸送の測定値を計算するステップと
を含む、請求項１７記載の方法。
【請求項２０】
前記管理輸送の測定値と、前記合計された流量と、前記第２の流量とに少なくとも部分的に基づいて請求金額を計算するステップを含む、請求項１９記載の方法。
【発明の詳細な説明】
【技術分野】
【０００１】
本明細書で開示される主題は、一方のエンティティから他方のエンティティへの（ガスまたは液体などの）流体の管理輸送（ｃｕｓｔｏｄｙ  ｔｒａｎｓｆｅｒ）に関する。詳細には、開示される主題は、供給元から供給先へ送り出される（天然ガスなどの）燃料の測定に関する。
【背景技術】
【０００２】
ガスタービンシステムなどの様々なシステムは、天然ガスなどの燃料によって動力供給される。天然ガスは、（供給元などの）一方のエンティティによって、管理輸送システムを介して、（供給先などの）他方のエンティティにしばしば供給される。これらのオペレータ間で輸送される天然ガスの量は、供給先によって消費されるガスの量を決定する際、および／または、供給元によって請求される請求金額を決定する際に有用である。これらの管理輸送システムでは高レベルの精度が望ましい。
【先行技術文献】
【特許文献】
【０００３】
【特許文献１】米国特許出願公開第２０１０／０２２３９７６号公報
【発明の概要】
【発明が解決しようとする課題】
【０００４】
残念ながら、既存の管理輸送システムでは、少ない流量において比較的正確でない場合のある大型流量計が用いられている。さらに、既存の管理輸送システムでは、（例えば、天然ガスフローが止められる）オフライン状態における流量計の定期的なメンテナンスおよび／またはキャリブレーションが必要となる場合がある。このオフラインのメンテナンスおよび／またはキャリブレーションは、コストがかかる場合があり、また天然ガスフローが失われることによって不都合となる恐れがある。
【課題を解決するための手段】
【０００５】
独創性をもって特許請求されている本発明の範囲に見合ういくつかの実施形態が、以下に概要を述べられている。これらの実施形態は、特許請求されている本発明の範囲を限定するようには考えられておらず、むしろこれらの実施形態は、本発明の可能な形態に関する概要を与えるようにのみ考えられている。本発明は、実際に、以下に明記されている実施形態と同様であってもよいか、またはそれらと異なっていてもよい様々な形態を包含し得る。
【０００６】
一実施形態では、システムは、ガス供給源からガスタービンにガス燃料を輸送するように構成された管理輸送システムを含む。この管理輸送システムは、それぞれが、管理輸送システムを通って流れるガス燃料の流量の一部における測定値を得るように構成され、互いと並列に動作する複数の小型流量計を含む。また、この管理輸送システムは、複数の小型流量計から流れるガス燃料の流量における測定値を得るように構成され、複数の小型流量計と直列である大型流量計を含む。さらに、この管理輸送システムは、フローコンピュータに計測メトリクスを提供するように構成され、小型流量計のそれぞれと、大型流量計とに接続された通信回路を含む。
【０００７】
第２の実施形態では、フローコンピュータは、管理輸送スキッドにおける複数の小型流量計から複数の第１の測定値を得て、管理輸送スキッドにおける大型流量計から第２の測定値を得て、複数の小さい測定値と、大きい測定値とに少なくとも部分的に基づいて、管理輸送スキッドを通って輸送されるガス燃料の量を表す管理輸送の計算値を求めるように構成されている。
【０００８】
第３の実施形態では、方法は、並列に動作している複数の小型流量計における１組の流量をコンピュータで受信するステップを含む。さらに、この方法は、複数の小型流量計と直列である大型流量計における第２の流量をコンピュータで受信するステップを含む。さらに、この方法は、コンピュータを介して流量の組を合計して、合計された組の流量を得るステップを含む。さらに、この方法は、合計された組の流量を第２の流量と比較して、流量の組と第２の流量との精度を判定するステップを含む。
【０００９】
本発明におけるこれらおよび他の特徴、態様、ならびに利点は、図面全体を通して同一の文字が同一の部分を表す添付図面を参照して以下の詳細な説明が読まれると、より良く理解されることになろう。
【図面の簡単な説明】
【００１０】
【図１】実施形態による管理輸送スキッドを有するガスタービンシステムのブロック図である。
【図２】大型流量計と比較された場合の小型流量計のエラー率を示すグラフである。
【図３】実施形態による、並列に動作している複数の小型流量計によってイネーブルにされた管理輸送スキッドを有するガスタービンシステムの概略図である。
【図４】実施形態による、管理輸送量を計測および検査するためのプロセスを示すフローチャートである。
【発明を実施するための形態】
【００１１】
本発明における１つまたは複数の具体的な実施形態を以下で説明する。これらの実施形態に関する簡潔な説明を行なう努力の中で、本明細書では、実際の実施におけるすべての特徴が説明されない場合がある。任意の技術プロジェクトまたは設計プロジェクトにおけるように、そのような任意の実際の実施における展開においては、実施ごとに変わり得る、システム関連の制約およびビジネス関連の制約を伴うコンプライアンスなどの、多くの実施特有の判断が、ディベロッパー特有の目標を達成するためになされる必要があることを理解されたい。さらに、このような開発努力は、複雑で時間を要する可能性があるが、本開示の恩恵を有する当業者に対しての、設計、製作、および製造における日常的な作業（ｒｏｕｔｉｎｅ  ｕｎｄｅｒｔａｋｉｎｇ）となることを理解されたい。
【００１２】
本発明の様々な実施形態における要素を導入する場合、冠詞である「ａ」、「ａｎ」、「ｔｈｅ」、および「ｓａｉｄ」は、１つまたは複数の要素が存在することを意味するように考えられている。「備える」、「含む」、および「有する」という用語は、包括的であるように考えられており、また、列挙された要素以外のさらなる要素が存在する可能性があることを意味するように考えられている。
【００１３】
開示される実施形態は、並列に動作する複数の流量計を含む管理輸送スキッドの使用を通じた、供給元から供給先への天然ガスの管理輸送における向上した精度および運用性に関する。さらに、１つまたは複数の追加の流量計が、並列の流量計と直列になっていてもよい。開示される実施形態は、少ないガスフローの状況における天然ガスフローのより正確な測定を可能にし得る。さらに、スキッドの中の流量計は、メンテナンスおよび／またはキャリブレーション用にオフラインにされるため、運転を停止せずに輸送動作を継続することができる。このように、開示される実施形態は、天然ガスフローの測定における精度を高めるだけでなく、管理輸送メータのメンテナンスおよび／またはキャリブレーションに起因する休止時間の量を低減する。
【００１４】
上記を念頭におき、図１は、実施形態による、管理輸送スキッド１４を有するガスタービンシステム１０のブロック図である。このタービンシステム１０は、燃料ストレージ１２（例えば、ガスストレージ）、管理輸送スキッド１４、および燃焼システム１６を含む。燃焼システム１６は、燃焼によって駆動される発電機などの任意の燃焼システムでもよい。説明を簡潔にするために、燃焼システム１６は、ガスタービン１６として例示されることになるが、任意の燃焼システム１６を用いることができる。燃料ストレージ１２は、１つまたは複数の燃料タンク、供給パイプライン、および／または、ガスタービン１６に動力供給するのに有用な天然ガスなどの燃料を蓄えるタンカートラック（ｔａｎｋｅｒ  ｔｒｕｃｋ）を含むことができる。燃料は、任意の液体燃料でもよく、または任意のガス状燃料でもよい。説明を簡潔にするために、以下で説明される燃料は、天然ガスとして例示されることになるが、任意の燃料を用いることができる。燃料ストレージ１２からの燃料（例えば、天然ガス）は、管理輸送スキッド１４を通ってガスタービン１６に送られる。次いでガスタービン１６は天然ガスを消費し、それによって燃料ストレージ１２における天然ガスのレベルは徐々に減る。
【００１５】
管理輸送スキッド１４は、ガスストレージ１２からガスタービン１６に流れる天然ガスの量を決定する際に有用であり得る。このような情報は、請求金額を評価する際、および／または、ガスタービン１６によるガス消費を評価する際に有用であり得る。ガスストレージ１２は、天然ガスの供給元によって所有されている場合があり、一方、ガスタービンは、供給先によって所有され、かつ／または、運転されている。管理輸送スキッド１４は、天然ガスが供給元によって供給先に版売され、管理されている天然ガスが輸送される地点を示し得る。理解され得るように、正確な測定を行なうことが非常に望ましい場合があり、それによって、供給元は、請求する必要のある天然ガスの量がわかり、供給先は、支払う必要のある天然ガスの量がわかる。さらに、測定値は、ガスタービン１６による消費量および／または消費割合を決定するのに有用となり得る。
【００１６】
ガスストレージ１２から流れるガスは、少ないフローの状況をもたらす場合が時々ある。少ないフローの状況においては、管理輸送スキッド１４の流量計は、比較的正確でない測定値をもたらす場合がある。このような状況では、小型流量計を使用することによって、大型流量計より正確な測定値がもたらされる可能性がある。図２は、様々な流量のもとで大型流量計と比較された場合の小型流量計のエラー率を示すグラフ２０である。プロット２１は、（例えば８インチのスロートの）大型流量計に関連するエラーの割合を示す。プロット２２は、（例えば４インチのスロートの）小型流量計に関連するエラーの割合を示す。グラフ２０から観察されるように、大型流量計および小型流量計の両方の精度は、流量が増すにつれて上がる。しかし、小型流量計は、特に、少ないフローの状況において、より正確な結果をもたらすことができる。テストケースの１つでは、４インチのスロートを有する流量計は、少ない流量において約０．５％のエラーの割合をもたらした。８インチのスロートを有する流量計は、少ない同じ流量において約２．０％のエラーの割合をもたらした。このように、大きいスロートの流量計は、少ないフローの状況において、著しく高いエラーの割合をもたらした。
【００１７】
少ないフローの状況において大型メータによってもたらされる比較的正確でない測定値を改善するために、複数の小型流量計を並列に動作させることができる。図３は、実施形態による、並列に動作する複数の小型流量計３０によってイネーブルにされた管理輸送スキッド１４を有するガスタービンシステム１０の概略図である。上記で説明されているように、ガスストレージ１２から流れるガスは、管理輸送スキッド１４を通ってガスタービン１６に流れる。管理輸送スキッド１４は、管理輸送スキッド１４を通って流れるガスの流量、温度、および／または圧力の測定を行なうことができる。例えば、管理輸送スキッド１４は、圧力トランスミッタ２６および４０、温度トランスミッタ２８および４２、ならびに流量計３０および３２を含むことができる。圧力トランスミッタ２６および４０と、温度トランスミッタ２８および４２とは、供給ガスの濃度を決定する際に有用となる場合があり、それによってより正確な測定を行なうことができる。さらに、いくつかの流量計では、それらのフロー計算に圧力測定値が用いられる。測定値の精度を高めるために、圧力トランスミッタ２６および４０、ならびに温度トランスミッタ２８および４２は、流量計３０および３２の上流または下流に、短い距離で直接配置されてもよい。温度、圧力、および／またはフローの測定値は、有線および／または無線の通信回路４６を介してフローコンピュータ（ｆｌｏｗ  ｃｏｍｐｕｔｅｒ）４４に送信することができ、それによってフローコンピュータは、それらのデータを用いて、管理輸送スキッド１４を通って輸送されるガスの総量を求めることができる。さらに、管理輸送スキッド１４は、迂回経路（例えば、バイパスループ３４および３６、ならびに／または、迂回経路３８）を含むことができる。
【００１８】
吸入口のガスフローにおける最初の測定に対して１つの大型流量計を設ける代わりに、流量を測定するために複数の小型流量計３０を並列に配置することができる。例えば、いくつかの実施形態では、小型流量計３０の数は、２台から２０台以上でもよく、例えば、並列の流量計３０の数は、２台、３台、４台、５台、６台、７台、８台、９台、または１０台でもよい。これらの小型流量計３０は、最初の吸入口のガスフローの測定に通常用いられる単一の大型流量計の容量にほぼ等しいか、またはそれを上まわる合計容量を含むことができる。例えば、いくつかの実施形態では、小型流量計３０のそれぞれの容量は、大型流量計の容量の１／Ｎでもよく、ここでＮは、小型流量計３０の数である。さらに、いくつかの実施形態では、これらの小型流量計３０は、大型流量計より少ない容量の割合を有することができる。
【００１９】
通常の動作状況のもとでは、吸入口の供給ガスは、関連する圧力トランスミッタ２６および温度トランスミッタ２８を伴う複数の小型流量計３０に送ることができる。圧力トランスミッタ２６および温度トランスミッタ２８のそれぞれは、関連する小型流量計３０を通って流れるガスの圧力測定値および温度測定値を送信することができる。それぞれの小型流量計３０は、複数の小型流量計３０を通って流れるガスのフロー測定を並列に行なうことができる。フロー測定値、温度測定値、および／または圧力測定値は、通信回路４６を通じてフローコンピュータ４４に送信されてもよい。図４に関して以下でより詳しく説明されるように、コローコンピュータ４４は、それらの測定値を解して、管理輸送スキッド１４を通って流れるガスの総量を求めることができる。
【００２０】
ガスは、小型メータ３０を通過した後、１つにまとめられ、関連する圧力トランスミッタ４０および／または温度トランスミッタ４２を含むことができる大型流量計３２を通して送られてもよい。大型流量計３２は、小型流量計３０から得られた測定値に対する検査機構を実現することができる。検査では、先に得られた管理輸送の測定値の精度が検証される。一部の管理輸送の規則のもとでは、輸送されたガスに対して供給先に請求するために、検査機構が必要とされる場合がある。大型流量計３２からの測定値と、関連する圧力トランスミッタ４０および／または温度トランスミッタ４２からの測定値とは、フローコンピュータ４４に送信されてもよく、コローコンピュータ４４は、測定値を解して、小型流量計３０によって提供された測定値を検査することができる。ガスは、大型流量計３２を通って流れた後、ガスタービン１６に送られ、そこで消費されてもよい。
【００２１】
流量計３０および３２は、同様であってもよく、または異なっていてもよい。流量計３０および３２のそれぞれは、それぞれ異なるサイズ、タイプ、メーカー等のものでもよい。例えば、流量計３０および３２は、コリオリメータ、超音波メータ、タービンメータ、ベンチュリメータ、オリフィスメータ、またはこれらの組み合わせでもよい。さらに、流量計３０のそれぞれは、可変最大流量を有することができる。しかし、流量計３０のそれぞれの最大流量は、合計されると大型流量計３２の最大流量と等しくなり得る。
【００２２】
いくつかの状況においては、管理輸送スキッド１４における流量計の１つを取り外すことが望ましいか、または必要になる場合がある。例えば、小型流量計３０および／または大型流量計３２では、メンテナンスおよび／またはキャリブレーションが必要になる場合が時々ある。例えば、流量計は、産業上の規則によって、キャリブレーションを１年ごとに１回受ける場合がある。このようなキャリブレーションでは、流量計を取り外すことと、その流量計を、キャリブレーションが行なわれ得る試験所に発送することとが必要になる場合がある。流量計３０または３２の一方をオフラインにすることが望ましい状況では、流量計３０または３２の一方がオフライン／除去の状態であっても、管理輸送スキッド１４を通ってガスが流れ続けることを可能とする場合において、迂回経路（例えば、バイパスループ３４および３６、ならびに／または迂回経路３８）が有用となり得る。
【００２３】
図示されている実施形態では、小型流量計３０のそれぞれは、バイパスループ３４を含む。さらに、大型流量計３２もバイパスループ３６を含む。バイパスループ３４および３６は、流量計３０および３２の周りに供給ガスを迂回させることによって、流量計３０および３２がオフラインにされることを可能にする。したがって、オペレータが第１の流量計３０（例えばメータ１）をオフラインにすることを望む場合には、流量計１に関連するバイパスループ３４がアクティブにされ、第１の流量計３０の上流における供給ガスを迂回させることができる。上記で説明されたように、いくつかの管理輸送の規則では、供給先に請求するために、流量計の精度に関する検査が要求される場合がある。いくつかの実施形態では、大型流量計３２は、ガスタービン１６が供給ガスを維持するように、バイパスループ３６によってオフラインにされたままとなる可能性がある。しかし、このような場合には、検査中の流量計はアクティブでない可能性があるため、動作していない時間における請求は制限されてもよい。
【００２４】
いくつかの実施形態では、メータの検査は、システム１０からメータを取り外すことなく可能にされてもよい。例えば、大型流量計３２は、流量計３０の１つにおける測定値によって検査することができる。流量計３０の１つにおけるフローの読み取り値を、大型流量計３２と比較することによって、システム１０から大型流量計３２を取り外すことなく流量計３２の精度を検査することができる。
【００２５】
上記で説明されているように、フローコンピュータ４４は、管理輸送スキッド１４から提供される測定値に基づいて管理輸送量を求めることができる。図４は、実施形態による、フローコンピュータ４４を介して管理輸送量を計測および検査するためのプロセス６０を示すフローチャートである。フローコンピュータ４４は、並列に動作している複数の小型流量計３０から１組の流量を受信する（ブロック６２）。さらに、フローコンピュータ４４は、複数の小型流量計３０と直列である大型流量計３２における大きい流量を受信する（ブロック６４）。複数の小型流量計３０からの流量が合計される（ブロック６６）。フローコンピュータは、合計された流量を、大型流量計３２から提供された流量と比較し（ブロック６８）、合計された流量と、大型流量計３２から提供された流量との精度を判定する。
【００２６】
フローコンピュータは、合計された流量と、大型流量計３２から提供された流量との差が、最大差しきい値より小さいかどうかを判定することができる（ブロック７０）。この最大差しきい値は、小型流量計３０からの測定値と、大型流量計３２からの測定値との最大のずれを表すしきい値である。小型流量計３０からの流量の合計と、大型流量計３２からの流量との差が最大差しきい値より小さい場合、検査中の流量計（例えば、大型流量計３２）が、小型流量計３０におけるずれのしきい値以内の管理輸送量を提供したため、フローコンピュータは、確信のある管理輸送量および／または請求金額を決定することができる（ブロック７１）。決定される管理輸送量は、小型流量計３０における合計されたフロー測定値、大型流量計３２のフロー測定値、または両方の組み合わせに基づいていてもよい。例えば、いくつかの実施形態では、管理輸送量および請求金額の決定は、合計されたフロー測定値と大きいフロー測定値との間でとられた平均に基づいてなされてもよい。代替実施形態では、管理輸送量を決定する際には、重み付けされた平均が有用である場合があり、それにより、合計されたフロー測定値または大きい測定値のいずれかからの測定値が、より多くの信頼を与えられる。さらにフローコンピュータ４４は、確信のある管理輸送量に基づいて請求金額を決定することができる。次にフローコンピュータ４４は、さらなる測定値を得るためにブロック６２に戻る。
【００２７】
小型流量計３０からの合計されたフロー測定値と、大型流量計３２からの流量との差が最大差しきい値以上である場合（または、最少精度しきい値以下である場合）、アラームを作動させることができる（ブロック７２）。このアラームは、管理輸送スキッド１４に関する問題をオペレータに通知することができ、それによって改善策をとることができる。例えば、このアラームは、合計された測定値の精度が、合計された測定値の検査によって確認され得ないことをオペレータに警告することができる。それでもなお、フローコンピュータ４４は、確信の少ない管理輸送量を決定することができる（ブロック７３）。決定される管理輸送量は、小型流量計３０における合計されたフロー測定値、大型流量計３２のフロー測定値、または両方の組み合わせに基づいていてもよい。例えば、いくつかの実施形態では、管理輸送量の決定は、合計されたフロー測定値と大きいフロー測定値との間でとられた平均に基づいてなされてもよい。代替実施形態では、管理輸送量を決定する際には重み付けされた平均が有用である場合があり、それにより、合計されたフロー測定値または大きい測定値のいずれかからの測定値が、より多くの信頼を与えられる。さらに、いくつかの実施形態では、小型流量計３０からの合計されたフロー測定値と、大型メータ３２との低い方によって、確信の少ない管理輸送量が決定され得る。フローコンピュータ４４は、最大差しきい値以内の管理輸送量を示すことができないという理由で、確信の少ない管理輸送量に基づいて課金計算を制限するようにイネーブルにされてもよい。いくつかの実施形態では、課金の規則によって、検査の精度が回復するまで課金が中断されてもよい。フローコンピュータ４４は、さらなるフロー測定値を得るためにブロック６２に戻る。
【００２８】
本発明の技術的効果には、より正確な管理輸送量の測定を行なうようにイネーブルにされた管理輸送スキッドが含まれる。例えば、低いフローの状況では、小型流量計は、大型流量計に比べて向上した精度を提供することができる。複数の小型流量計を設けることによって、同じ量のガスが、フロー測定値の精度を増しつつ、管理輸送スキッドを通って流れることができる。さらに、複数の流量計を利用することによって冗長性が増す場合があり、それによって、管理輸送スキッドがガスタービンなどの下流の構成要素に供給ガスを送るようにイネーブルにされたままである一方で、１つまたは複数の流量計がオフラインにされる可能性がある。
【００２９】
本書では、最良の態様を含む本発明を開示するための例であって、任意の装置またはシステムの製造および使用、ならびに、取り込まれた任意の方法の実施を含む本発明を当業者が実施することを可能にするための例が用いられている。本発明における特許性のある範囲は、特許請求の範囲によって定義されており、当業者に思い浮かぶ他の例を含み得る。そのような他の例は、それらの例が、本特許請求の範囲における文字通りの言葉と相異することのない構造的要素を有する場合、または、それらの例が、本特許請求の範囲における文字通りの言葉と実質的に相異することのない等価な構造的要素を含む場合には、本特許請求の範囲内であると考えられる。
【符号の説明】
【００３０】
１０  ガスタービンシステム
１２  燃料ストレージ
１４  管理輸送スキッド
１６  ガスタービン
２６  圧力トランスミッタ
２８  温度トランスミッタ
３０  小型流量計
３２  大型流量計
３４  バイパスループ
３６  バイパスループ
３８  迂回経路
４０  圧力トランスミッタ
４２  温度トランスミッタ
４４  フローコンピュータ
４６  通信回路
【図１】
2013142693.tif 000003
【図２】
2013142693.tif 000004
【図３】
2013142693.tif 000005
【図４】
2013142693.tif 000006